(57)【要約】【課題】壁埋込型操作器において、簡単な構成により、静電気放電に対する耐性を向上させたものとする。【解決手段】壁埋込型操作器１は、壁面９０内に埋め込まれた埋込ボックス１１の内外に、本体ブロック１２、スイッチ取付枠１３、化粧カバー１４、金属プレート固定枠１５、および金属プレート１６を備えて構成される。スイッチ取付枠１３は、ボックスねじ１３ｃ用の横長のねじ孔１１ａにおける上下方向の外部側にリブ１３ｄを備え、壁埋込型操作器１に組み込まれた状態において、ボックスねじ１３ｃと金属プレート１６との間の絶縁距離を確保するリブ１３ｄを、ボックスねじ１３ｃの挿入部であるねじ孔１１ａの縁に備えている。リブ１３ｄが設けられることにより、壁埋込型操作器１の外部から内部のボックスねじ１３ｃに至る放電経路が遮断されるので、壁埋込型操作器１の静電気放電に対する耐性を向上させることができる。【選択図】図７
2012128978.tif 000002
【特許請求の範囲】
【請求項１】
信号線を介して伝送信号の送受信を行い、当該伝送信号に基づいて外部機器の動作設定を行う壁埋込型操作器において、
外部機器の動作を設定する操作用のスイッチを有し固定ねじによって壁面に固定されるスイッチ取付枠と、
伝送信号用の信号処理回路を有し前記スイッチ取付枠の背面に固定されて壁面に埋め込まれる本体と、
前記スイッチ取付枠の外周に配設される金属プレートと、を備え、
前記スイッチ取付枠は、前記固定ねじと前記金属プレートとの間の絶縁距離を確保するリブを前記固定ねじの挿入部に備えていることを特徴とする壁埋込型操作器。
【請求項２】
前記スイッチ取付枠の外周に固定されると共に、前記金属プレートの内面側から該金属プレートを保持する金属プレート固定枠を備え、
前記金属プレート固定枠の内周側であって前記固定ねじに対向する部位に絶縁距離を確保するリブを備えていることを特徴とする請求項１に記載の壁埋込型操作器。
【請求項３】
前記金属プレート固定枠と前記スイッチ取付枠とが一体成形によって形成されていることを特徴とする請求項２に記載の壁埋込型操作器。
【請求項４】
信号線を介して伝送信号の送受信を行い、当該伝送信号に基づいて外部機器の動作設定を行う壁埋込型操作器において、
外部機器の動作を設定する操作用のスイッチを有し固定ねじによって壁面に固定されるスイッチ取付枠と、
伝送信号用の信号処理回路を有し前記スイッチ取付枠の背面に固定されて壁面に埋め込まれる本体と、
前記スイッチ取付枠の外周に配設される金属プレートと、
前記スイッチ取付枠の外周に配設されると共に、前記金属プレートの内面側から該金属プレートを保持する金属プレート固定枠と、を備え、
前記金属プレート固定枠は、前記固定ねじに対向する内周側の部位に絶縁距離を確保する後退部を備えて前記スイッチ取付枠に一体成形されていることを特徴とする壁埋込型操作器。
【発明の詳細な説明】
【技術分野】
【０００１】
本発明は、信号線を介して伝送信号の送受信を行い、その信号に基づいて照明システム等における機器の動作設定を行う壁埋込型操作器に関する。
【背景技術】
【０００２】
従来より、照明器具による照明状態を操作するための操作器として、壁面などに固定される取付枠に押しボタン、小型スイッチ、操作ハンドル、端子板などを埋込配線した壁埋込型操作器が広く用いられている（例えば、特許文献１参照）。近年の壁埋込型操作器は、電力線を直接開閉する従前の操作器に替えて電力線の開閉器を信号によって操作するための操作器として構成され、照明の集中監視制御やタイマなどに連動して点灯制御するシステムの操作器として用いられている。このような照明制御システムは、全てのスイッチをネットワーク化して、信号線を介した伝送信号によって各照明を制御することができ、省エネルギ化や省コスト化に寄与することができる。
【先行技術文献】
【特許文献】
【０００３】
【特許文献１】特開２０００−１３３０８９号公報
【発明の概要】
【発明が解決しようとする課題】
【０００４】
しかしながら、制御用の壁埋込型操作器は微小電力の伝送信号の送受信を行うものであり、壁埋込型操作器を人が操作する際に静電気による火花放電が発生すると、壁埋込型操作器や制御システムが誤動作したり内部の電子回路が破損したりする虞がある。静電気発生は人が移動する床面の条件や移動空間の環境条件などに依存し、火花放電の発生は壁埋込型操作器が設置されている場所の空気の乾燥具合などに依存する。また、火花放電発生の難易性は壁埋込型操作器の内部構造にも依存する。図１３、図１４、図１５を参照して、従来の壁埋込型操作器の構造と火花放電発生について説明する。
【０００５】
図１３（ａ）に示すように、従来の壁埋込型操作器９は、壁面９０内に埋め込まれた埋込ボックス９１の内外に、本体ブロック９２、スイッチ取付枠９３、化粧カバー９４、金属プレート固定枠９５、および金属プレート９６を備えて構成されている。本体ブロック９２は信号処理回路を有し、スイッチ取付枠９３とボックスねじ９３ｃとによって埋込ボックス９１に固定される。化粧カバー９４はボックスねじ９３ｃの頭等を掩蔽する。金属プレート固定枠９５はスイッチ取付枠９３の外周にプレートねじ６５ａによって固定されている。金属プレート９６は金属プレート固定枠９５に係合して保持され、壁面９０と埋込ボックス９１との隙間およびスイッチ取付枠９３の外周部を掩蔽して美観を保つ。製作容易性や機能性の要求により、通常、スイッチ取付枠９３は樹脂製であり、金属プレート固定枠９５と金属プレート９６とは金属性である。図１３（ｂ）に示すように、人と金属プレート９６との間で静電気放電が発生する際には、金属プレート９６から金属プレート固定枠９５、さらにボックスねじ９３ｃから本体ブロック９２の信号処理回路へと続く放電電流の経路が形成される。図１４に示すように、スイッチ取付枠９３におけるボックスねじ９３ｃ用のねじ孔９３ａとプレートねじ９５ａ用のねじ孔９３ｂとは近接し、両ねじ孔９３ａ，９３ｂの開口部は同一平面にあり、これらのねじ孔に配置されるねじ頭間を遮る物がない。また、図１３（ａ）（ｂ）では、プレートねじ９５ａの頭部が金属プレート固定枠９５表面よりも沈んで図示されているが、ねじの締め付け具合によっては頭部が突出し、その頭部が放電経路の経由点となることがある。また、図１３（ｂ）や図１５に示すように、ボックスねじ９３ｃと金属プレート固定枠９５とが直接近接して対向する配置構成となっている。このような構成の従来の壁埋込型操作器９は、適切な環境のもとではなんら問題なく正常に動作するが、静電気の放電レベルが高くなる低湿度環境などの厳しい環境のもとでは、静電気放電の放電経路が形成されるという問題がある。
【０００６】
本発明は、上記課題を解消するものであって、簡単な構成により、静電気放電に対する耐性を向上させた壁埋込型操作器を提供することを目的とする。
【課題を解決するための手段】
【０００７】
上記課題を達成するために、本発明の壁埋込型操作器は、信号線を介して伝送信号の送受信を行い、伝送信号に基づいて外部機器の動作設定を行う壁埋込型操作器において、外部機器の動作を設定する操作用のスイッチを有し固定ねじによって壁面に固定されるスイッチ取付枠と、伝送信号用の信号処理回路を有しスイッチ取付枠の背面に固定されて壁面に埋め込まれる本体と、スイッチ取付枠の外周に配設される金属プレートと、を備え、スイッチ取付枠は、固定ねじと金属プレートとの間の絶縁距離を確保するリブを固定ねじの挿入部に備えていることをを特徴とする。
【０００８】
この壁埋込型操作器において、スイッチ取付枠の外周に固定されると共に、金属プレートの内面側から金属プレートを保持する金属プレート固定枠を備え、金属プレート固定枠の内周側であって固定ねじに対向する部位に絶縁距離を確保するリブを備えることが好ましい。
【０００９】
この壁埋込型操作器において、金属プレート固定枠とスイッチ取付枠とが一体成形によって形成されていることが好ましい。
【００１０】
また、本発明の壁埋込型操作器は、信号線を介して伝送信号の送受信を行い、伝送信号に基づいて外部機器の動作設定を行う壁埋込型操作器において、外部機器の動作を設定する操作用のスイッチを有し固定ねじによって壁面に固定されるスイッチ取付枠と、伝送信号用の信号処理回路を有しスイッチ取付枠の背面に固定されて壁面に埋め込まれる本体と、スイッチ取付枠の外周に配設される金属プレートと、スイッチ取付枠の外周に配設されると共に、金属プレートの内面側から該金属プレートを保持する金属プレート固定枠と、を備え、金属プレート固定枠は、固定ねじに対向する内周側の部位に絶縁距離を確保する後退部を備えてスイッチ取付枠に一体成形されていることを特徴とする。
【発明の効果】
【００１１】
本発明の壁埋込型操作器によれば、外部側の金属プレートと内部側のスイッチ取付枠固定用の固定ねじとの間の絶縁距離を確保するリブを固定ねじの挿入部に備えたので、内部の信号処理回路に至る放電電流経路の形成を抑制でき、静電気放電耐性を向上できる。
【図面の簡単な説明】
【００１２】
【図１】本発明の一実施形態に係る壁埋込型操作器が適用される照明制御システムのブロック構成図。
【図２】同壁埋込型操作器の外観斜視図。
【図３】同壁埋込型操作器の分解斜視図。
【図４】（ａ）は同壁埋込型操作器の本体、スイッチ取付枠、および化粧カバーからなる組立体の斜視図、（ｂ）は同組立体の正面図、（ｃ）は同組立体の側面図。
【図５】（ａ）は同スイッチ取付枠の正面図、（ｂ）はスイッチ取付枠の側面から見た断面図。
【図６】同スイッチ取付枠の斜視図。
【図７】（ａ）は同壁埋込型操作器の本体、スイッチ取付枠、および金属プレート取付枠からなる組立体の部分平面図、（ｂ）は同壁埋込型操作器の一部を示す断面側面図。
【図８】他の実施形態に係る壁埋込型操作器の金属プレート取付枠の平面図。
【図９】（ａ）は同壁埋込型操作器の本体、スイッチ取付枠、および金属プレート取付枠からなる組立体の部分平面図、（ｂ）は同壁埋込型操作器の一部を示す断面側面図。
【図１０】（ａ）はさらに他の実施形態に係る同壁埋込型操作器の本体、スイッチ取付枠および金属プレート取付枠からなる組立体の部分平面図、（ｂ）は同壁埋込型操作器の一部を示す断面側面図。
【図１１】さらに他の実施形態に係る壁埋込型操作器のスイッチ取付枠と金属プレート取付枠の平面図。
【図１２】（ａ）は同壁埋込型操作器の本体、スイッチ取付枠、および金属プレート取付枠からなる組立体の部分平面図、（ｂ）は同壁埋込型操作器の一部を示す断面側面図。
【図１３】（ａ）は従来の壁埋込型操作器の断面図、（ｂ）は（ａ）の部分拡大図。
【図１４】従来のスイッチ取付枠の斜視図。
【図１５】従来の壁埋込型操作器の本体、スイッチ取付枠、および金属プレート取付枠の組立体の部分平面図。
【発明を実施するための形態】
【００１３】
以下、本発明の壁埋込型操作器について、図面を参照して説明する。図１乃至図７は一実施形態に係る壁埋込型操作器を示す。図１に示すように、壁埋込型操作器１は、照明制御システム１０に適用される。照明制御システム１０は、壁埋込型操作器１と、リレー制御盤２と、照明器具群３とを備え、人が壁埋込型操作器１を操作することによって、リレー制御盤２を介して照明器具群３における各種照明器具３１，３２による照明制御を行うシステムである。壁埋込型操作器１は、２線式の信号線を介してリレー制御盤２に接続されている。リレー制御盤２は、伝送ユニット２１と、リレー制御回路２２と、リレーの集合体であるリレー回路２３とを備えている。伝送ユニット２１は、壁埋込型操作器１から伝送される信号に基づいて、制御対象となる照明器具とその制御状態とを特定し、その特定結果を制御指令信号としてリレー制御回路２２に送信する。リレー制御回路２２は、制御指令信号に基づいてリレー回路２３における特定のリレーを開閉制御する。リレー回路２３を構成する各リレーは、外部からの商用交流電源３０からの電力を各照明器具３１，３２に供給または遮断する。
【００１４】
壁埋込型操作器１は、照明器具群３における照明器具３１の群や照明器具３２の群などを群毎に制御するように、各群内の制御対象数に対応できる複数（図例ではそれぞれ８箇）の操作スイッチを備えている。各操作スイッチにおける操作信号は、２線式の信号線による多重伝送方式でリレー制御盤２に伝送される。その伝送方式は、例えば、２線無極性配線方式による割り込み式時分割多重伝送方式である。照明制御システム１０において、各種照明器具３１，３２は個別のアドレスが付与されており、壁埋込型操作器１によって各種照明器具３１，３２を個別にリモートコントロールすることができる。壁埋込型操作器１とリレー制御盤２とは、必要に応じて商用交流電源３０からの配線やコンセント等から不図示のトランス等を介して動作用の電力が供給される。なお、照明制御システム１０は、照度センサや人の動きの温度変化を検知する熱線センサなどのセンサを備え、センサからの情報と壁埋込型操作器１からの制御情報とに基づいて、照明器具群３を制御するようにすることもできる。
【００１５】
壁埋込型操作器１の構成を説明する。図２、図３、図４に示すように、壁埋込型操作器１は、壁面９０内に埋め込まれた埋込ボックス１１の内外に、本体ブロック１２、スイッチ取付枠１３、化粧カバー１４、金属プレート固定枠１５、および金属プレート１６を備えて構成されている。壁埋込型操作器１は、壁面９０に上下方向に取付ける旨説明するが、取付け方向は上下方向に限定されない。本体ブロック１２は、信号処理回路を有し、スイッチ取付枠１３の背面側に固定され、埋込ボックス１１内の信号線に接続される。スイッチ取付枠１３は、本体ブロック１２と操作用のスイッチ１ａとを備えた状態で、スイッチ取付枠１３の上下のねじ孔１３ａと、２本のボックスねじ１３ｃと、埋込ボックス１１における上下のねじ孔１１ａとによって埋込ボックス１１に固定される。さらに、金属プレート固定枠１５が、スイッチ取付枠１３の上下のねじ孔１３ｂと、金属プレート固定枠１５の上下のねじ孔１５ａと、２本のプレートねじ１５ｂとによってスイッチ取付枠１３の外周に固定される。化粧カバー１４は、金属プレート固定枠１５の固定前または固定後に、スイッチ取付枠１３に装着される。化粧カバー１４は、ボックスねじ１３ｃの頭等を掩蔽する。最後に、金属プレート１６が金属プレート固定枠１５の外周に着脱自在に装着される。金属プレート１６は、金属プレート固定枠１５によって係合保持され（図７（ｂ）参照）、壁面９０と埋込ボックス１１との隙間やスイッチ取付枠１３の外周部を掩蔽して美観を保つ。
【００１６】
この壁埋込型操作器１は、８箇のスイッチを有し、８種類のアドレスを区別して照明器具をリモコン操作することができる。壁埋込型操作器１の表面には、各照明器具のアドレスを識別する名称を表示する表示部１ｂが各スイッチ１ａについて設けられている。また、壁埋込型操作器１は、受光窓１ｃと不図示の光信号処理回路とを備えらており、外部のアドレス設定装置からの光信号によって、アドレス設定を行うことができる。スイッチ取付枠１３は樹脂製の成形品であり、ボックスねじ１３ｃとプレートねじ１５ｂは金属製である。金属プレート固定枠１５と金属プレート１６とは金属製であって板材のプレス加工によって形成される。金属プレート固定枠１５と金属プレート１６とが電気的に一体と考えられる場合、これらのいずれかのうち、ボックスねじ１３ｃに対して、静電気放電経路的に近い側との静電放電対策を行えばよい。
【００１７】
図５（ａ）（ｂ）（ｃ）、図６に示すように、スイッチ取付枠１３は、ボックスねじ１３ｃ用の横長のねじ孔１１ａにおける上下方向の外部側にリブ１３ｄを備えている。すなわち、スイッチ取付枠１３は、壁埋込型操作器１として組み込まれた状態において、ボックスねじ１３ｃと金属プレート１６との間の絶縁距離を確保することができるリブ１３ｄを、ボックスねじ１３ｃの挿入部であるねじ孔１１ａの縁に備えている。このようなスイッチ取付枠１３を用いる壁埋込型操作器１は、図７（ａ）（ｂ）に示すように、ボックスねじ１３ｃに対し、金属プレート固定枠１５やプレートねじ１５ｂが近接して対向する配置構成となっているが、リブ１３ｄによって互いに遮蔽されている。すなわち、リブ１３ｄが設けられることにより、壁埋込型操作器１の外部から内部のボックスねじ１３ｃに至る放電経路が遮断されるので、壁埋込型操作器１の静電気放電に対する耐性を向上させることができる。また、このようなリブ１３ｄは、ねじ孔１１ａの縁に備えられることにより、ねじ孔１１ａ周辺の機械的強度を向上させることができ、ボックスねじ１３ｃを締め付け過ぎてスイッチ取付枠１３が割れてしまうことへの対策としても効果を奏する。
【００１８】
なお、図７（ａ）（ｂ）には、美観維持と表面保護のための透明カバーシート１４ａが示され、金属プレート固定枠１５と金属プレート１６とを互いに係合させる係合突起１５ｃ，１６ａが示されている。また、本実施形態では、金属プレート固定枠１５を用いる構成を示したが、金属プレート固定枠１５を用いることなく、金属プレート１６を、例えば、スイッチ取付枠１３の外周に係合させて固定するようにしてもよい。この場合においても、リブ１３ｄは、ボックスねじ１３ｃと金属プレート１６との間の静電気放電経路を遮断する。また、金属プレート１６にねじ貫通用の孔を空けて、金属プレート固定枠１５を用いることなく、プレートねじ１５ｂとねじ孔１５ａとを用いて、金属プレート１６をスイッチ取付枠１３に直接ねじ止め固定してもよい。この固定方法では、プレートねじ１５ｂの頭が金属プレート１６の表面から露出することになる。この場合においても、上記同様に、リブ１３ｄは、ボックスねじ１３ｃと金属プレート１６、さらにはプレートねじ１５ｂとの間の静電気放電経路を遮断する。
【００１９】
次に、図８、図９によって、他の実施形態を説明する。この実施形態は、上述した実施形態におけるリブ１３ｄを、スイッチ取付枠１３ではなく金属プレート固定枠１５に備えるものである。図８に示すように、金属プレート固定枠１５は、その内周側であってボックスねじ１３ｃに対向する部位に、絶縁距離を確保するリブ１５ｄを備えている。このような金属プレート固定枠１５を用いる壁埋込型操作器１は、図９（ａ）（ｂ）に示すように、上述の図７（ａ）（ｂ）に示した実施形態と同様の構成を実現でき、リブ１５ｄによって、ボックスねじ１３ｃに向かう静電気放電経路を遮断することができる。また、この構成によると、従来の壁埋込型操作器９における金属プレート固定枠９５の構成を変えることだけによって、容易に静電気放電耐性を向上させることができる。また、プレートねじ１５ｂの先端部（頭部）、またはプレートねじ１５ｂの全体を樹脂で成形するようにしてもよい。この場合、リブ１５ｄの効果に加え、プレートねじ１５ｂの突出した頭部を経由する放電経路をより効果的に遮断することができる。
【００２０】
次に、図１０によって、さらに他の実施形態を説明する。この実施形態は、上述の図７（ａ）（ｂ）に示した実施形態において、金属プレート固定枠１５とスイッチ取付枠１３とを一体成形することにより、プレートねじ１５ｂを用いないようにしたものである。金属プレート固定枠１５は、例えば、図１０（ａ）（ｂ）に示すように、金属プレート固定枠１５を貫通する孔（不図示）に設けた、樹脂による熱かしめ部１３ｅによってスイッチ取付枠１３と一体化される。金属プレート固定枠１５とスイッチ取付枠１３とを一体化する方法は、熱かしめの他に、インサート成形やアウトサート成形、スナップフィットなどの任意の方法を用いることができる。プレートねじ１５ｂを用いないで金属プレート固定枠１５とスイッチ取付枠１３とを一体とすることにより、部品点数を減らすことができる。
【００２１】
次に、図１１、図１２によって、さらに他の実施形態を説明する。この実施形態は、上述の図１０（ａ）（ｂ）に示した実施形態と同様に、金属プレート固定枠１５とスイッチ取付枠１３とを一体成形することによってプレートねじ１５ｂを用いないようにしたものであるが、リブ１３ｄを備えていないものである。すなわち、本実施形態は、リブ１３ｄを備えることに代えて、金属プレート固定枠１５が、その内周側におけるボックスねじ１３ｃに対向する部位に絶縁距離を確保する後退部１５ｅを備えている。本実施形態においては、部品点数を減らすことができると共に、後退部１５ｅの存在によって静電気放電に対する耐性を向上させることができる。
【００２２】
なお、本発明は、上記構成に限られることなく種々の変形が可能である。例えば、上述した各実施形態の構成を互いに組み合わせた構成とすることができる。例えば、後退部１５ｄの構成とリブ１３ｄの構成とを両方用いる構成とすることができる。また、リブ１３ｄとリブ１５ｄとを併用する構成とすることができる。また、金属プレート固定枠１５を用いる場合、金属プレート固定枠１５を金属以外で構成し、非導電性の金属プレート固定枠１５としてもよい。この場合、ボックスねじ１３ｃに対する金属プレート固定枠１５の放電経路を考慮する必要がなくなり、ボックスねじ１３ｃとプレートねじ１５ｂとの間、またはボックスねじ１３ｃと金属プレート１５との間の放電経路を考慮すればよい。また、上記では、壁埋込型操作器１としてスイッチを有する操作器を例示して説明したが、本発明は、これに限るものではなく、電子回路を有する種々の壁埋込型操作器に適用することができる。例えば、液晶表示を備えた操作器、タッチパネルを備えた操作器、さらに、音響、照度、温度などを計測して計測結果を伝送するセンサを備えた操作器など、頻繁に操作するものからしないものまで、広く本発明の壁埋込型操作器１に含められる。
【符号の説明】
【００２３】
１    壁埋込型操作器
１ａ    スイッチ
１２    本体ブロック（本体）
１３    スイッチ取付枠
１３ｃ    ボックスねじ（固定ねじ）
１３ｄ    リブ
１５    金属プレート固定枠
１５ｂ    プレートねじ
１５ｄ  リブ
１５ｅ    後退部
１６    金属プレート
【図１】
2012128978.tif 000003
【図２】
2012128978.tif 000004
【図３】
2012128978.tif 000005
【図４】
2012128978.tif 000006
【図５】
2012128978.tif 000007
【図６】
2012128978.tif 000008
【図７】
2012128978.tif 000009
【図８】
2012128978.tif 000010
【図９】
2012128978.tif 000011
【図１０】
2012128978.tif 000012
【図１１】
2012128978.tif 000013
【図１２】
2012128978.tif 000014
【図１３】
2012128978.tif 000015
【図１４】
2012128978.tif 000016
【図１５】
2012128978.tif 000017